(57)【特許請求の範囲】
【請求項１】
上側が開口した有底箱形状をなす引き出しに取着される移動規制具であって、
帯状の毛羽体よりなり、その毛羽体の長手方向が引き出しにおける壁部に沿って延びるように配置され、その毛羽体の短手方向の一端側を前記壁部から上方へ突出させた状態で、その毛羽体の短手方向の他端側が前記壁部に取着可能とされたことを特徴とする移動規制具。
【請求項２】
前記毛羽体は、該毛羽体の長手方向に沿って並列配置された複数本のブラシ糸の基端部が前記毛羽体の短手方向と交差する方向に沿って延びる綴じ糸で綴じられていることを特徴とする請求項１に記載の移動規制具。
【請求項３】
前記毛羽体は、前記各ブラシ糸の先端部が前記毛羽体の短手方向と交差する方向に延びる保持糸で綴じられていることを特徴とする請求項２に記載の移動規制具。
【請求項４】
上側が開口した有底箱形状をなし、その壁部に請求項１〜請求項３のうちいずれか一項に記載の移動規制具が取着されたことを特徴とする引き出し。
【発明の詳細な説明】
【技術分野】
【０００１】
本発明は、例えば引き出しが出し入れ操作された場合などに、その引き出し内に収納されている被収納物が引き出し外などに移動するのを規制する移動規制具、及びそのような移動規制具が設けられた引き出しに関する。
【背景技術】
【０００２】
一般に、机や箪笥等には、上側が開口した有底箱形状をなす複数の引き出しが前後方向への出し入れ自在とされた状態で、上下方向に連続して並ぶように設けられている。そして、このような複数の引き出しは、各引き出しの出し入れ操作を円滑ならしめるために、上下方向で隣接する引き出し同士の間に一定間隔の隙間をおいて並設されている。このため、引き出しに被収納物がいっぱいに収納された状態で、該引き出しを出し入れ操作した場合には、その引き出し内に収納された被収納物が、特に引き出しの奥壁を乗り越えて上記隙間から外部に落下することがあった。
【０００３】
そこで、従来から、引き出しの出し入れ操作時に引き出し内に収納された被収納物が上記隙間から外部に落下しないようにする落下防止具が提案されている（例えば、特許文献１参照）。この特許文献１に記載の落下防止具は、ボデーとホルダとで引き出しの奥壁を挟むようにして引き出しの奥壁に取着されており、さらに引き出し内の手前側上方に向けて延びるアームの上面全体には針布のキャッチャーが設けられている。そして、このキャッチャーの上端を、上側の引き出しの底面に接触させて上記隙間を塞ぐことで、引き出し内から外部への被収納物の落下を防ぐようにしている。
【特許文献１】特開平９−１３５７４０号公報
【発明の開示】
【発明が解決しようとする課題】
【０００４】
ところで、特許文献１の落下防止具では、ボデーとホルダとで引き出しの奥壁を挟むように取着しなければならないため、その取着状態で奥壁の内面側（つまり、引き出しの内側）に位置させられるホルダが弾性力を有するように湾曲形成されていた。このため、このホルダによって引き出し内の収納スペースを狭くしてしまうおそれがあった。さらに、特許文献１の落下防止具は、キャッチャーの上面全体が上側の引き出しの底面に比較的広い面積でもって面接触しているため、引き出しを出し入れ操作する際の摺動抵抗が大きくなってしまい、引き出しの出し入れを円滑に行うことができなくなるおそれがあった。
【０００５】
本発明は、このような課題に着目してなされたものである。その目的とするところは、収納スペースを狭めることなく、さらには引き出しの出し入れを円滑に行うことが可能な移動規制具及び引き出しを提供することにある。
【課題を解決するための手段】
【０００６】
上記の目的を達成するために、請求項１に記載の発明は、上側が開口した有底箱形状をなす引き出しに取着される移動規制具であって、帯状の毛羽体よりなり、その毛羽体の長手方向が引き出しにおける壁部に沿って延びるように配置され、その毛羽体の短手方向の一端側を前記壁部から上方へ突出させた状態で、その毛羽体の短手方向の他端側が前記壁部に取着可能とされたことを要旨とする。
【０００７】
上記構成によれば、引き出しの壁部に帯状の毛羽体を取着した場合、その毛羽体の短手方向の一端側が壁部から上方へ突出した状態となり、引き出し内に収納された被収納物が該引き出しの壁部を乗り越えて移動するのを抑制できるようになる。そして、その取着状態においては、毛羽体の一端側が例えば上段側の引き出しの底面等の他部材に接触していても、その接触状態は線状の接触状態となるため、引き出しを出し入れ操作する際の摺動抵抗も小さなものとなる。また、帯状の毛羽体が壁部に沿って延びるように取着されるだけであるため、引き出し内の収納スペースを狭くすることもない。
【０００８】
請求項２に記載の発明は、請求項１に記載の発明において、前記毛羽体は、該毛羽体の長手方向に沿って並列配置された複数本のブラシ糸の基端部が前記毛羽体の短手方向と交差する方向に沿って延びる綴じ糸で綴じられていることを要旨とする。
【０００９】
上記構成によれば、毛羽体をフレキシブルに曲折することが可能となる。このため、引き出しにおける壁部の形状にかかわらず、該壁部に沿って容易に毛羽体を取着することが可能となる。
【００１０】
請求項３に記載の発明は、請求項２に記載の発明において、前記毛羽体は、前記各ブラシ糸の先端部が前記毛羽体の短手方向と交差する方向に延びる保持糸で綴じられていることを要旨とする。
【００１１】
上記構成によれば、毛羽体における各ブラシ糸の先端部間の広がりが抑制されるため、引き出し内に収納された被収納物が毛羽体をすり抜け難くなり、該被収納物が引き出しにおける壁部を乗り越えて移動するのを効果的に抑制することが可能となる。
【００１２】
請求項４に記載の発明は、上側が開口した有底箱形状をなし、その壁部に請求項１〜請求項３のうちいずれか一項に記載の移動規制具が取着された引き出しであることを要旨とする。
【００１３】
上記構成によれば、引き出しを出し入れ操作する際の摺動抵抗を大きくすることなく且つ引き出し内の収納スペースを狭くすることもなく、壁部に取着した移動規制具の働きにより、引き出し内に収納された被収納物が該引き出しの壁部を乗り越えて移動するのを抑制することが可能となる。
【発明の効果】
【００１４】
本発明によれば、収納スペースを狭めることなく、さらには引き出しの出し入れを円滑に行うことが可能な移動規制具及び引き出しを提供することができる。
【発明を実施するための最良の形態】
【００１５】
以下、本発明を机の引き出しに具体化した実施形態を図面に基づいて説明する。なお、特に説明がない限り、以下の記載における前後方向、上下方向、及び左右方向は、図１に示した机を基準とした場合の前後方向、上下方向及び左右方向と一致するものとする。
【００１６】
図１に示すように、本実施形態の机１０の右端部には、縦方向（上下方向）に連続して並ぶように、上段引き出し１２、中段引き出し１３、及び下段引き出し１４が設けられている。これら各段の引き出し１２〜１４は、上側が開口した有底四角箱形状をなしており、それぞれ独自に机１０に対して前後方向への出し入れ操作可能になっている。以下、各段の引き出し１２〜１４のうち下段引き出し１４に着目して説明する。
【００１７】
図２に示すように、下段引き出し１４は、壁部としての後壁１５、壁部としての右側壁１６、壁部としての左側壁１７、底壁１８、及び前壁（図示略）とを備えており、これら後壁１５、右側壁１６、左側壁１７、底壁１８、及び前壁（図示略）で囲まれた空間が、書類や文房具等の被収納物（図示略）を収納する収納スペースＳになっている。そして、この下段引き出し１４は、机１０に差し込まれた状態では上側に隣接する中段引き出し１３の下面１３ａとの間に一定間隔の隙間Ｃを空けて配置されるようになっている（図３参照）。
【００１８】
下段引き出し１４の後壁１５における上端部の内面には、移動規制具としての帯状の毛羽体２０が取着されている。すなわち、この毛羽体２０は、その長手方向が後壁１５に沿って左右方向に延びるように配置された状態で下段引き出し１４の後壁１５に取着されている。この場合、図３に示すように、毛羽体２０は、その短手方向の先端側（上端側）が後壁１５から上方へ突出した状態で、その短手方向の基端側（下端側）の後面が後壁１５の内面に両面粘着テープ２１を介して貼着されている。そして、毛羽体２０は、下段引き出し１４の後壁１５に取着された状態において、その先端が中段引き出し１３の下面１３ａに接触している。すなわち、中段引き出し１３及び下段引き出し１４の後端部における中段引き出し１３の下面１３ａと下段引き出し１４の上面１４ａとの間の隙間Ｃが、毛羽体２０によって塞がれている。
【００１９】
毛羽体２０の基端側（下端側）の前面には、意匠性を高めるための合成樹脂製の化粧板２２が貼着されている。この化粧板２２の色は、下段引き出し１４の色の近似色とされている。例えば、机１０がスチール製の場合には、該化粧板２２の色がグレーとされ、机１０が木製の場合には、該化粧板２２の色がブラウン若しくは木目調にデザインされたものとされる。
【００２０】
次に、上記した毛羽体２０について詳述する。
図４に示すように、毛羽体２０は、二つ折りされた互いに長さの等しい複数本のブラシ糸２３を左右方向に並列配置し、毛羽体２０の基端側部分となる各ブラシ糸２３の基端部２３ａ同士を、該各ブラシ糸２３と直交する方向（毛羽体２０の長手方向）に延びる３本の綴じ糸２４によって綴じることにより形成されている。この綴じ糸２４は、熱接着性溶融糸（熱可塑性樹脂糸）よりなる糸であり、該綴じ糸２４が熱溶着されることにより、各ブラシ糸２３が帯状の毛羽体２０を形成するように一体化されている。
【００２１】
さらに、毛羽体２０の先端側部分となる各ブラシ糸２３の先端部２３ｂ同士は、該各ブラシ糸２３と直交する方向（毛羽体２０の長手方向）に延びる１本の保持糸２５により綴じられている。この保持糸２５は、綴じ糸２４と同じ材質からなり、熱溶着により各ブラシ糸２３の先端部２３ｂと一体化されている。
【００２２】
各ブラシ糸２３の材質としては、ポリエステル、ポリプロピレン、ポリアミド系樹脂繊維等を用いることができる。また、各ブラシ糸２３の高さ（毛羽体２０の短手方向の長さ）は、中段引き出し１３の下面１３ａと下段引き出し１４の上面１４ａとの間の隙間Ｃの大きさに合わせて適宜調整されるが、一般的に１０ｍｍ〜５０ｍｍの範囲内に設定することが好ましい。各ブラシ糸２３の高さが１０ｍｍよりも低い場合には、各ブラシ糸２３の材質にもよるが、弾力性が損なわれて中段引き出し１３の下面１３ａに対する摺動抵抗が大きくなるおそれがあり、各ブラシ糸２３の高さが５０ｍｍよりも高い場合には、各ブラシ糸２３にへたりが生じるおそれがある。
【００２３】
そこで次に、上記のように構成された各引き出し１２〜１４の作用について、特に下段引き出し１４の作用に着目して以下説明する。
さて、下段引き出し１４の収納スペースＳに被収納物をいっぱいに収納した状態で、机１０に対して該下段引き出し１４を出し入れ操作すると、この操作時の勢いにより、被収納物の一部が中段引き出し１３の下面１３ａと下段引き出し１４の上面１４ａとの間の隙間Ｃから後壁１５を乗り越えて外部へ移動しようとする。しかしながら、この隙間Ｃは、毛羽体２０により閉塞されているため、後壁１５を乗り越えて外部へ移動しようとする被収納物は、該毛羽体２０によりブロックされる。これにより、下段引き出し１４の収納スペースＳ内に収納されている被収納物が後壁１５を乗り越えて外部へ移動して、机１０内の下方に落下するのを抑制することができる。
【００２４】
また、この場合、毛羽体２０は帯状をなしているため、下段引き出し１４における後壁１５の上端部の内面に取着された場合にも収納スペースＳ内で嵩張らず、下段引き出し１４の出し入れ操作時における中段引き出し１３の下面１３ａに対する摺動抵抗も従来の面接触のものに比べて格段に小さくなる。このため、下段引き出し１４の収納スペースＳを狭くすることなく、机１０に対する下段引き出し１４の出し入れ操作を円滑に行うことができる。
【００２５】
以上詳述した実施形態によれば次のような効果が発揮される。
（１）毛羽体２０は、該毛羽体２０の長手方向に沿って並列配置された複数本のブラシ糸２３の基端部２３ａ同士が毛羽体２０の短手方向と直交する方向に沿って延びる綴じ糸２４で綴じられている。したがって、毛羽体２０をフレキシブルに曲折することができるので、下段引き出し１４の後壁１５の形状にかかわらず、該後壁１５に沿って容易に毛羽体２０を貼着することができる。
【００２６】
（２）毛羽体２０は、各ブラシ糸２３の先端部２３ｂ同士が毛羽体２０の短手方向と直交する方向に延びる保持糸２５で綴じられている。したがって、毛羽体２０における各ブラシ糸２３の広がりを抑制することができる。このため、下段引き出し１４の収納スペースＳ内に収納された被収納物が毛羽体２０をすり抜けるのを抑制することができ、該被収納物が下段引き出し１４の後壁１５を乗り越えて移動するのを効果的に抑制することができる。
【００２７】
（３）毛羽体２０は、両面粘着テープ２１を介して下段引き出し１４の後壁１５の内面に貼着されるため、毛羽体２０の後壁１５に対する取付け作業を容易に行うことができる。
【００２８】
（４）毛羽体２０は、下段引き出し１４の収納スペースＳ内に収納された被収納物の種類に応じて、適宜各ブラシ糸２３の密度や材質を変更することで、該被収納物が下段引き出し１４の後壁１５を乗り越えて移動するのを、より一層効果的に抑制することができる。
【００２９】
（５）毛羽体２０を構成する各ブラシ糸２３の基端部２３ａ（毛羽体２０の基端側部分）、すなわち３本の綴じ糸２４により綴じられた部分が、化粧板２２により覆われて隠蔽されているため、毛羽体２０の意匠性を高めることができる。
【００３０】
（変更例）
なお、前記実施形態は、次のように変更して具体化することも可能である。
・図４に示すように、毛羽体２０は、保持糸２５を各ブラシ糸２３の先端部２３ｂ同士を仮綴じする一本の糸とし、該保持糸２５の糸端２５ａを引っ張った場合には、各ブラシ糸２３の先端部２３ｂに対する仮綴じ状態が解消されるように構成してもよい。このように構成すれば、毛羽体２０の保管・運搬時等には保持糸２５により各ブラシ糸２３の先端部２３ｂ同士を仮綴じすることで各ブラシ糸２３がばらけることを抑制できる一方、下段引き出し１４への取着時には必要に応じて保持糸２５を取り去った状態にすることもできる。この場合、保持糸２５は、各ブラシ糸２３の先端部２３ｂに対して熱溶着されないので、熱接着性溶融糸とする必要はない。
【００３１】
・図５に示すように、毛羽体２０を下段引き出し１４の右側壁１６、あるいは左側壁１７に貼着してもよい。このようにすれば、下段引き出し１４の出し入れ操作時に、下段引き出し１４の収納スペースＳ内に収納された被収納物が、右側壁１６、あるいは左側壁１７を乗り越えて収納スペースＳ外へ移動するのを抑制することができる。
【００３２】
・図６に示すように、下段引き出し１４の収納スペースＳを前後に区画する壁部としての仕切板３０で区画し、該仕切板３０の上端部に毛羽体２０を貼着してもよい。このようにすれば、下段引き出し１４の出し入れ操作時に、下段引き出し１４の収納スペースＳ内に収納された被収納物が、仕切板３０を乗り越えて移動するのを抑制することができる。
【００３３】
・下段引き出し１４の後壁１５に貼着した毛羽体２０の先端は、必ずしも中段引き出し１３の下面１３ａに接触していなくてもよい。
・毛羽体２０は、下段引き出し１４の色に合わせて適宜着色してもよい。
【００３４】
・毛羽体２０は、下段引き出し１４に対して接着剤、片面粘着テープ、ねじ、面ファスナを用いて取着するようにしてもよい。あるいは、下段引き出し１４に対して毛羽体２０を、カシメたり、下段引き出し１４の上面に多数の穴をあけて、該各穴に各ブラシ糸２３をそれぞれ直接植毛したりすることにより取着してもよい。
【００３５】
・上記実施形態では、毛羽体２０を下段引き出し１４に取着したが、同様に、毛羽体２０を上段引き出し１２、あるいは中段引き出し１３に取着するようにしてもよい。
・上記実施形態では、毛羽体２０を机１０の引き出しに取着するようにしたが、箪笥、システムキッチン、キャビネット等のあらゆる引き出しに取着するようにしてもよい。
【００３６】
・綴じ糸２４は、３本に限らず、１本や２本あるいは４本以上にしてもよい。なお、綴じ糸２４の本数は、毛羽体２０の基端側部分となる各ブラシ糸２３の基端部２３ａの上下幅や強度等を考慮して適宜変更される。
【００３７】
・保持糸２５は、１本に限らず、所定間隔をおいて２本以上としてもよい。このようにすれば、下段引き出し１４の収納スペースＳ内に収納された被収納物が毛羽体２０をすり抜けるのを一層効果的に抑制することができる。
【００３８】
・保持糸２５は、省略してもよい。このようにすれば、毛羽体２０の柔軟性を高めることができる。
・化粧板２２は、省略してもよい。
【００３９】
・化粧板２２は、毛羽体２０の基端側部分となる各ブラシ糸２３の基端部２３ａ全体を覆うように、インサート成形により毛羽体２０と一体化させてもよい。
次に上記実施形態から把握できる技術的思想について以下に追記する。
【００４０】
（イ）前記保持糸は、各ブラシ糸の先端部同士を仮綴じする一本の糸であり、その糸端を引っ張った場合には、ブラシ糸の先端部に対する仮綴じ状態が解消されることを特徴とする請求項３に記載の移動規制具。
【００４１】
このように構成すれば、移動規制具の保管・運搬時等には保持糸により各ブラシ糸の先端部同士を仮綴じすることでブラシ糸がばらけることを抑制できる一方、引き出しへの取着時には必要に応じて保持糸を取り去った状態にすることもできる。
【００４２】
（ロ）前記移動規制具は、両面粘着テープによって壁部に貼着されていることを特徴とする請求項４に記載の引き出し。
このように構成すれば、引き出しに対して移動規制具を容易に取付けることができる。
【図面の簡単な説明】
【００４３】
【図１】実施形態の机を示す斜視図。
【図２】実施形態の机の引き出しを示す要部拡大斜視図。
【図３】実施形態の机の引き出しを示す要部拡大断面図。
【図４】実施形態の毛羽体を示す平面図。
【図５】変更例の机の引き出しを示す要部拡大斜視図。
【図６】変更例の机の引き出しを示す要部拡大斜視図。
【符号の説明】
【００４４】
１０…机、１２…上段引き出し、１３…中段引き出し、１４…下段引き出し、１５…壁部としての後壁、１６…壁部としての右側壁、１７…壁部としての左側壁、２０…移動規制具としての毛羽体、２３…ブラシ糸、２３ａ…ブラシ糸の基端部、２３ｂ…ブラシ糸の先端部、２４…綴じ糸、２５…保持糸、３０…壁部としての仕切板。
【図１】
0004659544.tif 000002
【図２】
0004659544.tif 000003
【図３】
0004659544.tif 000004
【図４】
0004659544.tif 000005
【図５】
0004659544.tif 000006
【図６】
0004659544.tif 000007